(57)【要約】【課題】この発明は、カラー読取モードであってもモノクロ読取モードであっても、原稿の先端から確実に画像を読み取ることが可能となり、どのような読取モードであっても良好な画像を読み取ることが可能となる。【解決手段】この発明は、カラー用のラインセンサとモノクロ用のラインセンサとを共に有する画像読取装置において、原稿の画像をカラーで読み取る場合にはカラー用の読取開始位置に基づいて読取開始し、モノクロで読み取る場合にはモノクロ用の読取開始位置に基づいて読取を開始するようにしたものである。【選択図】    図１
2004266675.tif 000002
【特許請求の範囲】
【請求項１】
原稿の読取面の画像をカラーあるいはモノクロで読み取る画像読取装置であって、
カラー画像を読み取るカラー用のラインセンサと、モノクロ画像を読み取る前記カラー用のラインセンサとは別のモノクロ用のラインセンサとが配置されているラインセンサと、
前記原稿の読取面からの光を前記ラインセンサに導く光学系が搭載された走査手段と、
この走査手段を前記原稿の読取面に対して副走査方向に移動させる移動手段と、
この移動手段による前記走査手段の移動方向としての副走査方向において前記原稿の読取面の先端より前に設置される基準板と、
前記原稿の読取面をカラーで読み取るカラー読取モードかモノクロで読み取るモノクロ読取モードかを選択する選択手段と、
この選択手段によりカラー読取モードが選択された場合、前記移動手段により副走査方向に移動する前記走査手段が前記基準板に対するカラー用の読取開始位置に達した際に前記カラー用のラインセンサによる前記基準板の読取を開始し、前記選択手段によりモノクロ読取モードが選択された場合、前記移動手段により副走査方向へ移動する前記走査手段が前記基準板に対するモノクロ用の読取開始位置に達した際に前記モノクロ用のラインセンサにより前記基準板の読取を開始する制御手段と、
を具備したことを特徴とする画像読取装置。
【請求項２】
原稿の読取面の画像をカラーあるいはモノクロで読み取る画像読取装置であって、
カラー画像を読み取るカラー用のラインセンサと、モノクロ画像を読み取る前記カラー用のラインセンサとは別のモノクロ用のラインセンサとが配置されているラインセンサと、
前記原稿の読取面からの光を前記ラインセンサに導く光学系が搭載された走査手段と、
この走査手段を前記原稿の読取面に対して副走査方向に移動させる移動手段と、
この移動手段による前記走査手段の移動方向としての副走査方向において前記原稿の読取面の先端より前に設置される基準板と、
前記原稿の読取面をカラーで読み取るカラー読取モードかモノクロで読み取るモノクロ読取モードかを選択する選択手段と、
この選択手段によりカラー読取モードが選択された場合、前記移動手段により前記走査手段を副走査方向に移動させ、前記走査手段が前記基準板に対するカラー用の読取開始位置に達した際、前記カラー用のラインセンサによる前記基準板の読取を開始する第１の制御手段と、
前記第１の制御手段により前記カラー用のラインセンサにて読み取った前記基準板の読取データに基づいて、前記カラー用のラインセンサにて読み取った前記原稿の読取面の読取データに対する補正を行う第１の補正手段と、
前記選択手段によりモノクロ読取モードが選択された場合、前記移動手段により前記走査手段を副走査方向へ移動させ、前記走査手段が前記基準板に対するモノクロ用の読取開始位置に達した際、前記モノクロ用のラインセンサにより前記基準板の読取を開始する第２の制御手段と、
前記第２の制御手段により前記モノクロ用のラインセンサにて読み取った前記基準板の読取データに基づいて、前記モノクロ用のラインセンサにて読み取った前記原稿の読取面の読取データに対する補正を行う第２の補正手段と、
を具備したことを特徴とする画像読取装置。
【請求項３】
前記カラー用のラインセンサは走査位置が副走査方向に所定の間隔で配置された複数のラインセンサからなり、
前記第１の制御手段は、前記選択手段によりカラー読取モードが選択された場合、前記移動手段により前記走査手段を副走査方向に移動させ、前記カラー用のラインセンサのうち走査位置が副走査方向に最後尾となるラインセンサの走査位置が前記基準板の読取開始位置に達した際、前記カラー用のラインセンサの各ラインセンサによる前記基準板の読取を順次開始する、
ことを特徴とする前記請求項２に記載の画像読取装置。
【請求項４】
前記カラー用のラインセンサは走査位置が副走査方向に所定の間隔で配置された複数のラインセンサからなり、
前記第１の制御手段は、前記選択手段によりカラー読取モードが選択された場合、前記移動手段により前記走査手段を副走査方向に移動させ、前記カラー用のラインセンサのうち走査位置が副走査方向に先頭となるラインセンサの走査位置が前記基準板の読取開始位置に達した際、前記カラー用のラインセンサの各ラインセンサによる前記基準板の読取を順次開始する、
ことを特徴とする前記請求項２に記載の画像読取装置。
【請求項５】
前記カラー用のラインセンサは走査位置が副走査方向に所定の間隔で配置された複数のラインセンサからなり、
前記第１の制御手段は、前記選択手段によりカラー読取モードが選択された場合、前記移動手段により前記走査手段を副走査方向に移動させ、前記カラー用のラインセンサのうち走査位置が副走査方向に最後尾となるラインセンサの走査位置が前記基準板の読取開始位置に達した際、前記カラー用のラインセンサの各ラインセンサにより前記基準板の読取を同時に開始する、
ことを特徴とする前記請求項２に記載の画像読取装置。
【請求項６】
カラー画像を読み取るカラー用のラインセンサと、モノクロ画像を読み取る前記カラー用のラインセンサとは別のモノクロ用のラインセンサとが配置されているラインセンサと、原稿の読取面からの光を前記ラインセンサに導く光学系が搭載された走査手段と、この走査手段を前記原稿の読取面に対して副走査方向に移動させる移動手段と、この移動手段による前記走査手段の移動方向としての副走査方向において前記原稿の読取面の先端より前に設置される基準板とを有する画像読取装置に用いられる画像読取方法であって、
前記原稿の読取面をカラーで読み取るカラー読取モードかモノクロで読み取るモノクロ読取モードかを選択し、
前記カラー読取モードが選択された場合、前記移動手段により副走査方向に移動する前記走査手段が前記基準板に対するカラー用の読取開始位置に達した際に前記カラー用のラインセンサによる前記基準板の読取を開始し、
前記モノクロ読取モードが選択された場合、前記移動手段により副走査方向へ移動する前記走査手段が前記基準板に対するモノクロ用の読取開始位置に達した際に前記モノクロ用のラインセンサにより前記基準板の読取を開始する、
を具備したことを特徴とする画像読取方法。
【請求項７】
カラー画像を読み取るカラー用のラインセンサと、モノクロ画像を読み取る前記カラー用のラインセンサとは別のモノクロ用のラインセンサとが配置されているラインセンサと、原稿の読取面からの光を前記ラインセンサに導く光学系が搭載された走査手段と、この走査手段を前記原稿の読取面に対して副走査方向に移動させる移動手段と、この移動手段による前記走査手段の移動方向としての副走査方向において前記原稿の読取面の先端より前に設置される基準板と、を有する画像読取装置に用いられる画像読取方法であって、
前記原稿の読取面をカラーで読み取るカラー読取モードかモノクロで読み取るモノクロ読取モードかを選択し、
前記カラー読取モードが選択された場合、前記走査手段を副走査方向に移動させ、前記走査手段が前記基準板に対するカラー用の読取開始位置に達した際、前記カラー用のラインセンサによる前記基準板の読取を開始し、
前記カラー用のラインセンサが前記原稿の読取面を読み取った場合、前記カラー用のラインセンサにて読み取った前記基準板の読取データに基づいて、前記カラー用のラインセンサにて読み取った前記原稿の読取面の読取データに対する補正を行い、
前記モノクロ読取モードが選択された場合、前記走査手段を副走査方向へ移動させ、前記走査手段が前記基準板に対するモノクロ用の読取開始位置に達した際、前記モノクロ用のラインセンサにより前記基準板の読取を開始し、
前記モノクロ用のラインセンサが原稿の読取面を読み取った場合、前記モノクロ用のラインセンサにて読み取った前記基準板の読取データに基づいて、前記モノクロ用のラインセンサにて読み取った前記原稿の読取面の読取データに対する補正を行う、
を具備したことを特徴とする画像読取方法。
【請求項８】
前記カラー用のラインセンサは走査位置が副走査方向に所定の間隔で配置された複数のラインセンサからなり、
前記カラー読取モードが選択された場合、前記移動手段により前記走査手段を副走査方向に移動させ、前記カラー用のラインセンサのうち走査位置が副走査方向に最後尾となるラインセンサの走査位置が前記基準板の読取開始位置に達した際、前記カラー用のラインセンサの各ラインセンサによる前記基準板の読取を順次開始する、
ことを特徴とする前記請求項７に記載の画像読取方法。
【請求項９】
前記カラー用のラインセンサは走査位置が副走査方向に所定の間隔で配置された複数のラインセンサからなり、
前記カラー読取モードが選択された場合、前記移動手段により前記走査手段を副走査方向に移動させ、前記カラー用のラインセンサのうち走査位置が副走査方向に先頭となるラインセンサの走査位置が前記基準板の読取開始位置に達した際、前記カラー用のラインセンサの各ラインセンサによる前記基準板の読取を順次開始する、
ことを特徴とする前記請求項７に記載の画像読取方法。
【請求項１０】
前記カラー用のラインセンサは走査位置が副走査方向に所定の間隔で配置された複数のラインセンサからなり、
前記カラー読取モードが選択された場合、前記移動手段により前記走査手段を副走査方向に移動させ、前記カラー用のラインセンサのうち走査位置が副走査方向に最後尾となるラインセンサの走査位置が前記基準板の読取開始位置に達した際、前記カラー用のラインセンサの各ラインセンサにより前記基準板の読取を同時に開始する、
ことを特徴とする前記請求項７に記載の画像読取方法。
【発明の詳細な説明】
【０００１】
【発明の属する技術分野】
この発明は、例えば、ユーザが選択した読取モードに従って、原稿の読取面を光学的に走査してカラー画像データあるいはモノクロ画像データに変換し、さらに、上記カラー画像データあるいは上記モノクロ画像データを基準値に基づいて補正する画像読取装置および画像読取方法に関する。
【０００２】
【従来の技術】
従来、原稿の画像をカラーで読み取る画像読取装置（カラー画像読取装置）では、カラーＣＣＤセンサを搭載し、キャリッジを移動動作させて原稿全体を光学的に走査することによりカラー画像を読み取っている。従来のカラー画像読取装置では、カラーＣＣＤセンサとして、赤（レッド）の成分（Ｒ信号）を出力する第１のＣＣＤラインセンサと、緑（グリーン）の成分（Ｇ信号）を出力する第２のＣＣＤラインセンサと、青（ブルー）の成分（Ｂ信号）を出力する第３のＣＣＤラインセンサとの３つのＣＣＤラインセンサからなる３ラインＣＣＤセンサが用いられている。上記のような３ラインＣＣＤセンサでは、モノクロ画像を読み取る場合、３つのＣＣＤセンサから出力される信号（ＲＧＢ信号）に基づいてモノクロ画像を生成している。
【０００３】
また、従来の画像読取装置では、ＣＣＤセンサにおける画素単位の感度ばらつき、原稿を照射する露光ランプの配光特性、レンズ特性によるレンズ周辺の光量低下などにより、３ラインＣＣＤセンサの出力信号が一様にならない。このため、原稿先端より前に設置された白基準を有する基準板としてのシェーディング補正板を前記３ラインＣＣＤセンサにより読み取り、その読取結果に基づいて前記３ラインＣＣＤセンサからの出力信号を補正（シェーディング補正）している。
【０００４】
従って、上記のような３ラインＣＣＤセンサを有する画像読取装置では、カラーもモノクロも３つのラインセンサで読み取るため、常に、同じ読取位置で上記白基準板を読み取るようになっている。つまり、従来の３ラインＣＣＤセンサを有する画像読取装置では、原稿画像をカラーで読み取るかモノクロで読み取るかに関わらずに、固定の読取位置でシェーディング補正板を読み取って、各ラインセンサの出力信号に対するシェーディング補正を行っている。
【０００５】
【特許文献１】
特開２０００−２９５４８６号公報
【特許文献２】
特開２０００−３２５１７６号公報
【発明が解決しようとする課題】
しかしながら、カラー画像を読み取るカラー用のラインセンサと上記カラー用のラインセンサとは別にモノクロ画像を読み取るモノクロ用のラインセンサとが配置されたラインセンサでは、カラー用のラインセンサの読取位置とモノクロ用のラインセンサの読取位置とは異なっている。従って、上記カラー用のラインセンサとモノクロ用のラインセンサとを有するラインセンサを搭載した画像読取装置では、原稿の画像をカラーで読み取るかモノクロで読み取るかに関わらずに、所定の位置でシェーディング補正板の読み取りを開始すると、副走査方向に広い幅を有するシェーディング補正板が必要になったり、シェーディング補正を効率的に行うことできないという問題点がある。
【０００６】
そのため、本発明では、カラー画像を読み取るカラー用のラインセンサと上記カラー用のラインセンサとは別にモノクロ画像を読み取るモノクロ用のラインセンサとが配置されたラインセンサを用いて画像を読み取るものであっても、基準板の幅を小さくでき、シェーディング補正の効率的化、画像読取装置の小型化、安型化を図ることができる画像読取装置と画像読取方法を提供することを目的とする。
【０００７】
【課題を解決するための手段】
この発明の画像読取装置は、原稿の読取面の画像をカラーあるいはモノクロで読み取るものであって、カラー画像を読み取るカラー用のラインセンサと、モノクロ画像を読み取る前記カラー用のラインセンサとは別のモノクロ用のラインセンサとが配置されているラインセンサと、前記原稿の読取面からの光を前記ラインセンサに導く光学系が搭載された走査手段と、この走査手段を前記原稿の読取面に対して副走査方向に移動させる移動手段と、この移動手段による前記走査手段の移動方向としての副走査方向において前記原稿の読取面の先端より前に設置される基準板と、前記原稿の読取面をカラーで読み取るカラー読取モードかモノクロで読み取るモノクロ読取モードかを選択する選択手段と、この選択手段によりカラー読取モードが選択された場合、前記移動手段により副走査方向に移動する前記走査手段が前記基準板に対するカラー用の読取開始位置に達した際に前記カラー用のラインセンサによる前記基準板の読取を開始し、前記選択手段によりモノクロ読取モードが選択された場合、前記移動手段により副走査方向へ移動する前記走査手段が前記基準板に対するモノクロ用の読取開始位置に達した際に前記モノクロ用のラインセンサにより前記基準板の読取を開始する制御手段とを有する。
【０００８】
この発明の画像読取方法は、カラー画像を読み取るカラー用のラインセンサと、モノクロ画像を読み取る前記カラー用のラインセンサとは別のモノクロ用のラインセンサとが配置されているラインセンサと、原稿の読取面からの光を前記ラインセンサに導く光学系が搭載された走査手段と、この走査手段を前記原稿の読取面に対して副走査方向に移動させる移動手段と、この移動手段による前記走査手段の移動方向としての副走査方向において前記原稿の読取面の先端より前に設置される基準板とを有する画像読取装置に用いられる方法であって、前記原稿の読取面をカラーで読み取るカラー読取モードかモノクロで読み取るモノクロ読取モードかを選択し、前記カラー読取モードが選択された場合、前記移動手段により副走査方向に移動する前記走査手段が前記基準板に対するカラー用の読取開始位置に達した際に前記カラー用のラインセンサによる前記基準板の読取を開始し、前記モノクロ読取モードが選択された場合、前記移動手段により副走査方向へ移動する前記走査手段が前記基準板に対するモノクロ用の読取開始位置に達した際に前記モノクロ用のラインセンサにより前記基準板の読取を開始することを特徴とする。
【０００９】
【発明の実施の形態】
以下、この発明の実施の形態について図面を参照して説明する。
図１は、この発明の実施の形態に係る画像読取装置に搭載される４ラインＣＣＤセンサ１の構成例を示す図である。
図１に示すように、４ラインＣＣＤセンサ１は、入射光の赤（レッド）の成分を赤色の濃度を示すＲ信号に光電変換する赤ラインセンサＲと、入射光の緑（グリーン）の成分を緑色の濃度を示すＧ信号に光電変換する緑ラインセンサＧと、入射光の青（ブルー）の成分を青色の濃度を示すＢ信号に光電変換する青ラインセンサＢと、入射光の白黒（ブラックとホワイト）の成分を白黒の濃度を示すＢＷ信号に光電変換する白黒ラインセンサＢＷから構成されている。
【００１０】
上記赤ラインセンサＲは、赤色のフィルターをかけたＣＣＤラインセンサにより構成される。これにより、上記赤ラインセンサＲでは、入射光の赤色の成分のみを取り込んでＲ信号を出力することができるようになっている。
また、上記緑ラインセンサＧは、緑色のフィルターをかけたＣＣＤラインセンサにより構成される。これにより、上記緑ラインセンサＧでは、入射光の緑色の成分のみを取り込んでＧ信号を出力することができるようになっている。
また、上記青ラインセンサＢは、青色のフィルターをかけたＣＣＤラインセンサにより構成されている。これにより、上記青ラインセンサＢでは、入射光の青色の成分のみを取り込んでＢ信号を出力することができるようになっている。
【００１１】
上記４ラインＣＣＤセンサ１では、各ラインセンサＲ，Ｇ，Ｂ，ＢＷがそれぞれ所定の間隔で平行に並べられている。図１に示す例において、各ラインセンサは、Ｒ，Ｇ，Ｂ，ＢＷの順に並べられている。また、赤ラインセンサＲと緑ラインセンサＧと間隔、及び、緑ラインセンサＧと青ラインセンサＢとの間隔は、８ライン分となっており、青ラインセンサＢと白黒ラインセンサＢＷとの間隔は、１２ライン分となっている。
【００１２】
つまり、カラー用のラインセンサとしての赤ラインセンサＲ、緑ラインセンサＧ、及び、青ラインセンサＢは、それぞれ８ライン分の間隔で平行に並べられ、モノクロ用のラインセンサとしての白黒ラインセンサＢＷは、カラー用のラインセンサとしての青ラインセンサＢに対して１２ライン分の間隔で平行に並べられている。なお、１ラインは、例えば、７４５０画素あり、１画素は４．７μｍ×４．７μｍのサイズを有している。
【００１３】
次に、上記４ラインＣＣＤセンサ１が搭載された画像読取装置の構成について説明する。
図２は、この発明の実施の形態に係る画像読取装置１０の構成例を示す図である。
図２に示すように、画像読取装置１０は、シェーディング補正板１１および原稿載置台１２に載置される原稿Ｄを照明する光源としての露光ランプ１４、この露光ランプ１４からの光の一部を反射して原稿Ｄを照明するリフレクタ１５、および原稿Ｄからの反射光を所定の方向に偏向する第１のミラー１６が原稿載置台１２の下方に配設された第１のキャリッジ１８に取り付けられている。
【００１４】
上記シェーディング補正板１１は、上記４ラインＣＣＤセンサ１の各ラインセンサの出力信号を画素単位でシェーディング補正するための基準板であり、白基準を示すものである。すなわち、上記シェーディング補正では、上記シェーディング補正板１１の読取データに基づいて上記４ラインＣＣＤセンサ１の各ラインセンサからの各画素単位の出力データを補正するようになっている。
【００１５】
上記シェーディング補正板１１の副走査方向の幅は、各ラインセンサ間の間隔、読取回数（読取ライン数）、読取倍率（第１キャリッジの移動速度）等により決定される。また、図２に示す構成例では、上記シェーディング補正板１１は、上記第１キャリッジ１８の画像読取方向（副走査方向）における上記原稿載置台１２の直前に設置される。
【００１６】
上記シェーディング補正板１１は、原稿画像の読み取り前に読み取られることが必要であり、上記第１キャリッジ１８が安定して移動している状態で読み取られることも必要である。このため、上記シェーディング補正板１１は、原稿画像の読取領域の前（原稿先端より前）で、かつ、所定の待機位置から移動を開始した上記第１キャリッジ１８の移動速度が安定する位置よりも後に設置される必要がある。
【００１７】
従って、上記画像読取装置１０におけるシェーディング補正板１１の設置位置には上述のような制約があるため、上記シェーディング補正板１１の副走査方向の幅はできるだけ狭くすることが好ましく、上記シェーディング補正板１１の読取動作も効率的に行われることが好ましい。
【００１８】
また、上記原稿載置台１２は、光を透過するガラスなどの無色透明な部材で構成されている。さらに、上記原稿載置台１２には図示しない原稿カバーが設けられており、上記原稿載置台１２上の原稿は、図示しない原稿カバーにより上記原稿載置台１２としてのガラス面に押さえつけられるようになっている。
【００１９】
上記第１のキャリッジ１８は、上記原稿載置台１２と平行に移動可能に配置され、図示しない歯付きベルト等を介して接続される駆動モータ（移動手段）３０により、上記原稿載置台１２の下方を往復移動される。上記駆動モータ３０は、制御ユニット（制御基板）３２からの駆動パルス信号などにより駆動制御されるステッピングモータなどで構成されている。
【００２０】
さらに、上記原稿載置台１２の下方には、上記原稿載置台１２と平行に移動可能な第２のキャリッジ２０が配設されている。上記第２のキャリッジ２０には、上記第１のミラー１６により偏向された原稿Ｄからの反射光を順に偏向する第２のミラー２２および第３のミラー２４が互いに直角に取り付けられている。上記第２のキャリッジ２０は、上記第１のキャリッジ１８を駆動する歯付きベルト等により、上記駆動モータ３０からの駆動力が伝達され、上記第１のキャリッジ１８に対して従動されるとともに、上記第１のキャリッジ１８に対して、１／２の速度で上記原稿載置台１２に沿って平行に移動される。
【００２１】
また、上記原稿載置台１２の下方には、上記第２のキャリッジ２０上に搭載されている上記第３のミラー２４からの反射光を集束する結像レンズ２６と、結像レンズ２６により集束された反射光を受光して光電変換する４ラインＣＣＤセンサ１とが配設されている。上記結像レンズ２６は、上記第３のミラー２４により偏向された光の光軸を含む面内に、駆動機構（図示しない）を介して移動可能に配設される。上記結像レンズ２６は、自身が移動することで反射光を所望の倍率で結像する。そして、上記４ラインＣＣＤセンサ１は、上記結像レンズ２６を介して入射した光を、各ラインセンサＲ，Ｇ，Ｂ，ＢＷが画素ごとに光電変換し、制御ユニット３２へ出力する。
【００２２】
次に、画像読取装置１０の制御系統の構成について説明する。
図３は、上記画像読取装置１０の制御系統の構成を概略的に示すブロック図である。
上記画像読取装置１０の制御基板３２上には、ＣＰＵ４０、ＲＯＭ４１、ＲＡＭ４２、信号処理部４３、および駆動制御部４４などが設けられている。上記ＣＰＵ４０は、画像読取装置１０全体の制御を司るものである。上記ＲＯＭ４１は、当該画像読取動作を行うための制御プログラムなどが記憶されているメモリである。上記ＲＡＭ４２は、データを一時的に記憶するメモリである。上記信号処理部４３は、上記４ラインＣＣＤセンサ１からの信号を処理して外部へ出力するものである。上記駆動制御部４４は、上記駆動モータ３０を駆動制御するモータドライバを有している。
【００２３】
上記信号処理部４３は、前処理回路５１、シェーディング補正回路５２、ライン間補正回路５３、および画像処理回路５４を有している。
上記前処理回路５１は、４ラインＣＣＤセンサ１からのアナログ信号をデジタル信号に変換するＡ／Ｄ変換などの処理を行う。
【００２４】
上記シェーディング補正回路５２は、上記４ラインＣＣＤセンサ１による上記シェーディング補正板１１の読取結果に基づいて画素単位の補正を行う。すなわち、上記シェーディング補正回路５２は、上記４ラインＣＣＤセンサ１による白基準板としてのシェーディング補正板１１の読取結果に基づいて各画素に対する補正データを生成する。さらに、上記シェーディング補正回路５２は、上記シェーディング補正板１１の読取結果に基づいて生成した補正データにより上記４ラインＣＣＤセンサ１の各ラインセンサＲ、Ｇ、Ｂ、ＢＷからの出力信号を画素単位で補正する。
【００２５】
例えば、上記シェーディング補正回路５２は、予め各ラインセンサＲ、Ｇ、Ｂ、ＢＷにより読み取った黒基準データ（前記露光ランプ１４の消灯時における各ラインセンサからの出力信号）と上記シェーディング補正板１１を各ラインセンサＲ、Ｇ、Ｂ、ＢＷにより読み取った白基準データ（白基準板としてのシェーディング補正板１１の読取時における各ラインセンサからの出力信号）とを基に、原稿画像読取時の各ラインセンサＲ、Ｇ、Ｂ、ＢＷからの出力信号を画素単位でそれぞれ以下の式により補正している。
Ｉ＝Ｋ×（Ｓ−Ｂ）／（Ｗ−Ｂ）
ただし、Ｉは補正後の信号、Ｋは係数、Ｓは補正前の出力信号（ラインセンサからの出力信号）、Ｂは黒基準データ、Ｗは白基準データとする。
【００２６】
また、上記ライン間補正回路５３は、赤ラインセンサＲからのデータと、緑ラインセンサＧからのデータと、青ラインセンサＢからのデータとの位置合わせを行うものである。つまり、カラー用のラインセンサとしての赤、緑、青の各ラインセンサＲ、Ｇ、Ｂは、それぞれのラインが数画素分ずれて配置されている。このため、カラーの画像を生成するためには、副走査方向の移動速度に応じて各ラインセンサＲ、Ｇ、Ｂからのデータの位相を合わせる必要がある。
【００２７】
例えば、図１に示す構成例では、カラー用のラインセンサとしての赤、緑、青の各ラインセンサＲ、Ｇ、Ｂが走査順にＲＧＢの順に並んでおり、かつ、赤ラインセンサＲと緑ラインセンサＧおよび緑ラインセンサＧと青ラインセンサＢが８画素分ずれて配置されている。この場合、変倍比が２５％〜４００％であれば、各ラインセンサＲ、Ｇ、Ｂからのデータに対しては、ＲとＧの間に２〜３２ライン、ＧとＢとの間に２〜３２ラインの位置補正が必要となる。
【００２８】
ここで、例えば、青ラインセンサＢを基準とした場合、上記ライン間補正回路５３は、赤ラインセンサＲのデータに対して４〜６４ライン分、緑ラインセンサＧのデータに対して２〜３２ライン分の位置合わせを行う。このような位置合わせを行うことにより、上記ライン間補正回路５３は、Ｒ信号、Ｇ信号及びＢ信号の各データを重ね合わせてずれのないカラー画像を生成するようになっている。
【００２９】
また、上記画像処理回路５４は、画像処理を行って、画像データを外部へ出力するものである。例えば、カラーである場合、上記画像処理回路５４は、ライン間補正されたデータに色補正を行って外部へ出力する。また、モノクロである場合、上記画像処理回路５４は、上記ライン間補正回路をスルーしたＢＷ信号としてのデータにフィルタ処理などを行って外部へ出力する。
【００３０】
また、上記ＣＰＵ４０には、ユーザによる操作指示が入力される操作部６０が接続されている。例えば、上記操作部６０には、読取倍率を設定する設定キー、カラーかモノクロかを選択する画像選択キー、読取開始を指示する指示キーなどが設けられている。例えば、ユーザが上記操作部６０にて原稿に対する読取モードを指定して読取開始を指示するキーを入力した場合、上記ＣＰＵ４０は、指定された読取モードによる原稿画像の読取を開始するようになっている。
【００３１】
さらに、上記ＣＰＵ４０には、切替回路６１および切替回路６２に接続されている。上記切替回路６１は、上記４ラインＣＣＤセンサ１から上記信号処理部４３へ供給する信号のうち緑ラインセンサＧからのＧ信号と白黒ラインセンサＢＷからのＢＷ信号と切り替える回路である。上記切替回路６２は、上記４ラインＣＣＤセンサ１から上記信号処理部４３へ供給する信号のうち青ラインセンサＢからのＢ信号と白黒ラインセンサＢＷからのＢＷ信号とを切り替える回路である。
【００３２】
すなわち、カラーでの読取モードの場合、上記ＣＰＵ４０は、上記切替回路６１によりＧ信号を有効とし、上記切替回路６２によりＢ信号を有効とする。この場合、上記４ラインＣＣＤセンサ１は、赤ラインセンサＲからのＲ信号、緑ラインセンサＧからのＧ信号、および青ラインセンサＢからのＢ信号を上記信号処理部４３を供給する。これにより、上記４ラインＣＣＤセンサ１によるカラー画像の読取が可能となる。
【００３３】
また、モノクロでの読取モードの場合、上記ＣＰＵ４０は、上記切替回路６１によりＢＷ信号を有効とするとともに、上記切替回路６２によりＢＷ信号を有効とする。この場合、上記４ラインＣＣＤセンサ１は、白黒ラインセンサＢＷからのＢＷ信号を上記信号処理部４３へ供給する。これにより、上記４ラインＣＣＤセンサ１によるモノクロ画像の読取が可能となる。なお、上述ような図３に示す構成でモノクロ画像を読み取る場合、上記４ラインＣＣＤセンサＣＣＤ１は、２チャンネルのＢＷ信号を上記信号処理部４３へ供給するようになっている。この際、一方は偶数ライン分のＢＷ信号を供給し、他方は奇数ライン分のＢＷ信号を供給するようになっている。
【００３４】
次に、上記画像読取装置１０の動作について概略的に説明する。
図４は、上記画像読取装置１０の読取動作を説明するためのフローチャートである。
まず、図示しない電源キーが投入されると、上記ＣＰＵ４０は、イニシャライズ動作を実行する（ステップＳ１１）。このイニシャライズ動作において、上記ＣＰＵ４０は、駆動基準点の初期化、信号増幅部による増幅率の設定などの画像読取装置１０全体の初期動作を行う。
【００３５】
上記イニシャライズ動作が完了すると、上記ＣＰＵ４０は、当該画像読取装置１０を画像読取動作の待機状態（ＲＥＡＤＹ状態）とする（ステップＳ１２）。この状態において、ユーザは、上記操作部６０により画像の読取モードを指定し、画像の読取開始を指示するスタートキーを指示する。この際、当該ユーザは、原稿の読取モードとして、原稿画像をカラーで読み取る（カラー読取モード）かモノクロで読み取り（モノクロ読取モード）かを選択する。ユーザにより読取開始が指示されると、上記操作部６０は、上記ＣＰＵ４０へ原稿画像の読み取り開始を要求する信号とともに原稿の読取モードを示す情報を供給する。
【００３６】
上記操作部６０から読取開始要求を受けると、上記ＣＰＵ４０は、上記操作部６０からの読取モードを示す情報に基づいてカラー読取モードかモノクロ読取モードかを選択する（ステップＳ１３）。
【００３７】
これによりカラー読取モードを選択した場合、上記ＣＰＵ４０は、ユーザが指定した読取倍率などの読取モードに応じたカラー読取モード用の動作設定を行う（ステップＳ１４）。このカラー読取モード用の動作設定では、たとえば、３つのラインセンサＲ、Ｇ、Ｂによるシェーディング補正板１１の読取位置や原稿画像の読取位置などが設定される。
【００３８】
上記カラー読取モード用の動作設定が完了すると、上記ＣＰＵ４０は、上記第１キャリッジ１８の移動を開始する。これにより、上記第１キャリッジ１８は、動作設定で設定された読取時の移動速度まで加速し、その読取速度でシェーディング補正板及び原稿載置台１２の下方を副走査方向へ移動する。上記ＣＰＵ４０は、上記第１キャリッジ１８がシェーディング補正板１１の下方に達すると、上記カラー用のラインセンサとしての３つのラインセンサＲ、Ｇ、Ｂによる上記シェーディング補正板１１の読取を行う（ステップＳ１５）。このカラー用のラインセンサによるシェーディング補正板１１の読取動作については、後で詳細に説明する。
【００３９】
上記第１キャリッジ１８が上記シェーディング補正板１１の下方を通過して原稿画像の読取位置に達すると、上記ＣＰＵ４０は、上記カラー用のラインセンサとしての３つのラインセンサＲ、Ｇ、Ｂにより原稿載置台１２上に載置されている原稿の画像を読み取る（ステップＳ１６）。さらに、上記第１キャリッジ１８が原稿の読取終了位置に達すると、上記ＣＰＵ４０は、原稿画像の読取を終了し、上記第１キャリッジ１８を所定の待機位置へ移動させる。これにより第１キャリッジ１８が待機位置へ移動すると、上記ＣＰＵ４０は、読取動作を終了して上記ステップＳ１２へ戻り、当該画像読取装置１０をＲＥＡＤＹ状態とする。
【００４０】
また、上記ステップＳ１３によりモノクロ読取モードを選択した場合、上記ＣＰＵ４０は、ユーザが指定した読取倍率などの読取モードに応じたモノクロ読取モード用の動作設定を行う（ステップＳ１７）。このモノクロ読取モード用の動作設定では、たとえば、モノクロ用のラインセンサ（白黒ラインセンサ）ＢＷによるシェーディング補正板１１の読取位置や原稿画像の読取位置などが設定される。
【００４１】
上記モノクロ読取モード用の動作設定が完了すると、上記ＣＰＵ４０は、上記第１キャリッジ１８の移動を開始する。これにより、上記第１キャリッジ１８は、動作設定で設定された読取時の移動速度まで加速し、その読取速度でシェーディング補正板１１及び原稿載置台１２の下方を副走査方向へ移動する。上記ＣＰＵ４０は、上記第１キャリッジ１８がシェーディング補正板１１の下方に達すると、上記モノクロ用のラインセンサとしての白黒ラインセンサＢＷによる上記シェーディング補正板１１の読取を行う（ステップＳ１８）。このモノクロ用のラインセンサによるシェーディング補正板１１の読取動作については、後で詳細に説明する。
【００４２】
上記第１キャリッジ１８が上記シェーディング補正板１１の下方を通過して原稿画像の読取位置に達すると、上記ＣＰＵ４０は、上記モノクロ用のラインセンサとしての白黒ラインセンサＢＷにより原稿載置台１２上に載置されている原稿の画像を読み取る（ステップＳ１９）。さらに、上記第１キャリッジ１８が原稿の読取終了位置に達すると、上記ＣＰＵ４０は、原稿画像の読取を終了し、上記第１キャリッジ１８を所定の待機位置へ移動させる。これにより第１キャリッジ１８が待機位置へ移動すると、上記ＣＰＵ４０は、読取動作を終了して上記ステップＳ１２へ戻り、当該画像読取装置１０をＲＥＡＤＹ状態とする。
【００４３】
次に、上記シェーディング補正板１１を読取際の動作について説明する。
以下に説明するシェーディング補正では、４ラインＣＣＤセンサ１の各ラインセンサＲ、Ｇ、Ｂ、ＢＷはシェーディング補正用のデータとして１６ライン分のデータを読み取るものとする。
【００４４】
図５は、各ラインセンサＲ、Ｇ、Ｂ、ＢＷが順次シェーディング補正板１１を読み取った場合の読取位置を示す図である。
なお、図５に示す例では、各ラインセンサＲ、Ｇ、Ｂ、ＢＷの各走査位置が上記第１キャリッジ１８の移動方向（副走査方向）に対して、ＢＷ、Ｂ、Ｇ、Ｒの順に配置されているものとし、かつ、上記制御ユニット３２は４ラインＣＣＤセンサ１からの各信号をＲ信号、Ｇ信号、Ｂ信号、ＢＷ信号の順に順次取り込むものとする。
【００４５】
すなわち、図５に示す例では、まず、上記赤ラインセンサＲがシェーディング補正板１１を１６ライン分読み取り、次に上記緑ラインセンサＧがシェーディング補正板１１を１６ライン分読み取り、次に上記青ラインセンサＢがシェーディング補正板１１を１６ライン分読み取り、次に上記白黒ラインセンサＢＷがシェーディング補正板１１を１６ライン分読み取る。
【００４６】
この場合、例えば、１ラインを０．０４２５ｍｍとすると（以下、１ラインが０．０４２５ｍｍとして説明する）、上記赤ラインセンサＲがシェーディング補正板１１を１６ライン分読み取るのに必要な幅は、１６ライン分に相当する０．６８ｍｍである。さらに、上記赤ラインセンサＲが１６ライン分読み取った時点から緑ラインセンサＧがシェーディング補正板１１を１６ライン分読み取るのに必要な幅は、赤ラインセンサＲと緑ラインセンサＧとの間隔としての８ライン分に相当する０．３４ｍｍと１６ライン（読取ライン数）分に相当する０．６８ｍｍとである。
【００４７】
さらに、上記緑ラインセンサＧが１６ライン分読み取った時点から青ラインセンサＢがシェーディング補正板１１を１６ライン分読み取るのに必要な幅は、緑ラインセンサＧと青ラインセンサＢとの間隔としての８ライン分に相当する０．３４ｍｍと１６ライン（読取ライン数）分に相当する０．６８ｍｍとである。
【００４８】
さらに、上記青ラインセンサＢが１６ライン分読み取った時点から白黒ラインセンサＢＷがシェーディング補正板１１を１６ライン分読み取るのに必要な幅は、青ラインセンサＢと白黒ラインセンサＢＷとの間隔としての１２ライン分に相当する０．５１ｍｍと１６ライン（読取ライン数）分に相当する０．６８ｍｍとである。
【００４９】
従って、図５に示す例では、上記シェーディング補正板１１の副走査方向の幅は、少なくとも４つのラインセンサＲ、Ｇ、Ｂ、ＢＷの読取幅（１６×４ライン分）と４つのラインセンサ間隔（８×２＋１２ライン分）との合計の大きさ（９２ライン分に相当する３．９１ｍｍ）が必要となる。また、図５に示す例では、上記シェーディング補正板１１の読取を開始してからその読取を終了するまでに、上記第１キャリッジ１８は、６４（１６×４）ライン分に相当する２．７２ｍｍの移動距離Ｌ０が必要となる。
【００５０】
以下、上記シェーディング補正板１１の第１〜第３の読取方法について説明する。
これらの第１〜第３の読取方法は、第１〜第３の読取方法では、各ラインセンサＲ、Ｇ、Ｂ、ＢＷの各走査位置が上記第１キャリッジ１８の移動方向（副走査方向）に対して、Ｒ、Ｇ、Ｂ、ＢＷの順になっている画像読取装置１０に適用できるものである。
【００５１】
まず、上記シェーディング補正板１１の第１の読取方法について説明する。
図６は、上記シェーディング補正板１１の第１の読取方法を説明するための図である。図６に示す例では、各ラインセンサＲ、Ｇ、Ｂ、ＢＷの各走査位置が上記第１キャリッジ１８の移動方向（副走査方向）に対して、Ｒ、Ｇ、Ｂ、ＢＷの順に配置されている。また、図６に示す例では、カラー読取モードの場合、上記制御ユニット３２は３つのラインセンサＲ、Ｇ、Ｂからの各信号を、Ｂ信号、Ｇ信号、Ｒ信号の順に順次取り込むものとする。
【００５２】
図６に示す例では、カラー読取モードの場合、上記青ラインセンサＢの走査位置を読取開始位置（シェーディング補正板１１の副走査方向の後端部）として、まず、上記青ラインセンサＢがシェーディング補正板１１を１６ライン分読み取り、次に上記緑ラインセンサＧがシェーディング補正板１１を１６ライン分読み取り、次に上記赤ラインセンサＲがシェーディング補正板１１を１６ライン分読み取る。
【００５３】
すなわち、カラー読取モードの場合、シェーディング補正板１１の副走査方向の幅は、上記青ラインセンサＢが１６ライン分読み取るのに必要な幅（０．６８ｍｍ）と、上記青ラインセンサＢと上記緑ラインセンサＧとの間隔としての８ライン分（０．３４ｍｍ）と、上記緑ラインセンサＧが１６ライン分読み取るのに必要な幅（０．６８ｍｍ）と、上記緑ラインセンサＧと上記赤ラインセンサＲとの間隔としての８ライン分（０．３４ｍｍ）と、上記赤ラインセンサＲが１６ライン分読み取るのに必要な幅（０．６８ｍｍ）との合計（２．７２ｍｍ）である。さらに、カラー読取モードで上記シェーディング補正板１１を読み取る場合、上記第１キャリッジ１８の移動距離Ｌ１１は４８ライン（１６×３ライン）分である。
【００５４】
また、モノクロ読取モードの場合、上記白黒ラインセンサＢＷの走査位置を読取開始位置（シェーディング補正板１１の副走査方向の後端部）として、上記白黒ラインセンサＢＷがシェーディング補正板１１を１６ライン分読み取る。すなわち、モノクロ読取モードの場合、上記白黒ラインセンサＢＷがシェーディング補正板１１を１６ライン分読み取るのに必要な副走査方向の幅は、１６ライン（読取ライン数）分に相当する０．６８ｍｍである。さらに、モノクロ読取モードで上記シェーディング補正板１１を読み取る場合、上記第１キャリッジ１８の移動距離Ｌ２１は１６ライン分である。
【００５５】
上記のように、第１の読取方法によれば、上記シェーディング補正板１１の副走査方向の幅は、カラー読取モードの場合に少なくとも３つのラインセンサＲ、Ｇ、Ｂの読取幅（１６×３ライン分）と３つのラインセンサ間隔（８×２ライン分）との合計の大きさ（６４ライン分）が必要となり、モノクロ読取モードの場合に少なくとも白黒ラインセンサＢＷの読取幅（１６ライン分）が必要となる。
【００５６】
また、第１の読取方法では、モノクロ読取モードのシェーディング補正板１１の読取開始位置とカラー読取モードのシェーディング補正板１１の読取開始位置とがそれぞれ設定される。
従って、図６に示す第１の読取方法では、シェーディング補正板は副走査方向の幅が６４ラインあれば良いことになる。つまり、第１の読取方法によれば、図５に示す読取方法に比べて、シェーディング補正板の副走査方向の幅をカラー用のラインセンサ（３つのラインセンサＲ、Ｇ、Ｂ）とモノクロ用のラインセンサ（白黒ラインセンサＢＷ）との間隔（１２ライン）分と白黒ラインセンサＢＷの読取幅１６ライン分との合計分を小さくすることができる。また、シェーディング補正板を読み取る際の第１キャリッジの移動幅も白黒ラインセンサＢＷの読取ための移動分（１６ライン分）少なくできる。これは、カラー用のシェーディング補正板の読取位置（読取開始位置）とモノクロ画像用のシェーディング補正板の読取位置（読取開始位置）とをそれぞれ別の位置に設定したために得られる効果である。
【００５７】
次に、上記シェーディング補正板１１の第２の読取方法について説明する。
図７は、上記シェーディング補正板１１の第２の読取方法を説明するための図である。図７に示す例では、各ラインセンサＲ、Ｇ、Ｂ、ＢＷの各走査位置が上記第１キャリッジ１８の移動方向（副走査方向）に対して、Ｒ、Ｇ、Ｂ、ＢＷの順に配置されている。また、図７に示す例では、カラー読取モードの場合、上記制御ユニット３２は３つのラインセンサＲ、Ｇ、Ｂからの各信号を、Ｒ信号、Ｇ信号、Ｂ信号、の順に順次取り込むものとする。
【００５８】
図７に示す例では、カラー読取モードの場合、上記赤ラインセンサＲの走査位置を読取開始位置（シェーディング補正板１１の副走査方向の後端部）として、まず、上記赤ラインセンサＲがシェーディング補正板１１を１６ライン分読み取り、次に上記緑ラインセンサＧがシェーディング補正板１１を１６ライン分読み取り、次に上記青ラインセンサＢがシェーディング補正板１１を１６ライン分読み取る。
【００５９】
すなわち、カラー読取モードの場合、シェーディング補正板１１の副走査方向の幅は、上記赤ラインセンサＲが１６ライン分読み取るのに必要な幅（０．６８ｍｍ）から上記赤ラインセンサＲと上記緑ラインセンサＧとの間隔としての８ライン分（０．３４ｍｍ）を引いた幅（０．３８ｍｍ）と、上記緑ラインセンサＧが１６ライン分読み取るのに必要な幅（０．６８ｍｍ）から上記緑ラインセンサＧと上記青ラインセンサＢとの間隔としての８ライン分（０．３４ｍｍ）を引いた幅（０．３８ｍｍ）と、上記青ラインセンサＢが１６ライン分読み取るのに必要な幅（０．６８ｍｍ）との合計（１．３６ｍｍ）である。さらに、カラー読取モードで上記シェーディング補正板１１を読み取る場合、上記第１キャリッジ１８の移動距離Ｌ１２は、上記第１の読取方法の移動距離Ｌ１１と同様に、４８ライン（１６×３ライン）分である。
【００６０】
また、モノクロ読取モードの場合、上記白黒ラインセンサＢＷの走査位置を読取開始位置（シェーディング補正板１１の副走査方向の後端部）として、上記白黒ラインセンサＢＷがシェーディング補正板１１を１６ライン分読み取る。すなわち、モノクロ読取モードの場合、上記白黒ラインセンサＢＷがシェーディング補正板１１を１６ライン分読み取るのに必要な副走査方向の幅は、１６ライン（読取ライン数）分に相当する０．６８ｍｍである。さらに、モノクロ読取モードで上記シェーディング補正板１１を読み取る場合、上記第１キャリッジ１８の移動距離Ｌ２２は、上記第１の読取方法の移動距離Ｌ２１と同様に、１６ライン分である。
【００６１】
上記のように、第２の読取方法によれば、カラー読取モードのシェーディング補正板１１の読取開始位置とモノクロ読取モードのシェーディング補正板１１の読取開始位置とがそれぞれ設定され、上記シェーディング補正板１１の副走査方向の幅は、カラー読取モードの場合に少なくとも３つのラインセンサＲ、Ｇ、Ｂの読取幅（１６×３ライン分）から３つのラインセンサの間隔（８×２ライン分）を引いた大きさ（３２ライン分）が必要となり、モノクロ読取モードの場合に少なくとも白黒ラインセンサＢＷの読取幅（１６ライン分）が必要となる。
【００６２】
従って、図７に示す第２の読取方法では、シェーディング補正板は副走査方向の幅が３２ラインあれば良いことになる。つまり、図７に示す第２の読取方法によれば、図６に示す第１の読取方法に比べて、シェーディング補正板を読み取る際の第１キャリッジの移動幅は同じであるが、シェーディング補正板の副走査方向の幅を３つのラインセンサの間隔の２倍分小さくすることができる。
【００６３】
次に、上記シェーディング補正板１１の第３の読取方法について説明する。
図８は、上記シェーディング補正板１１の第３の読取方法を説明するための図である。図８に示す例では、各ラインセンサＲ、Ｇ、Ｂ、ＢＷの各走査位置が上記第１キャリッジ１８の移動方向（副走査方向）に対して、Ｒ、Ｇ、Ｂ、ＢＷの順に配置されている。また、図８に示す例では、カラー読取モードの場合、上記制御ユニット３２は３つのラインセンサＲ、Ｇ、Ｂからの各信号（Ｒ信号、Ｇ信号、Ｂ信号）を同時に取り込むものとする。
【００６４】
図８に示す例では、カラー読取モードの場合、上記青ラインセンサＢの走査位置を読取開始位置（シェーディング補正板１１の副走査方向の後端部）として、上記赤ラインセンサＲ、上記緑ラインセンサＧ、及び上記青ラインセンサＢがシェーディング補正板１１を同時に１６ライン分読み取る。
【００６５】
すなわち、カラー読取モードの場合、シェーディング補正板１１の副走査方向の幅は、上記赤ラインセンサＲ、上記緑ラインセンサＧ及び上記青ラインセンサＢが１６ライン分読み取るのに必要な幅（０．６８ｍｍ）と上記赤ラインセンサＲと上記緑ラインセンサＧとの間隔との８ライン分（０．３４ｍｍ）と上記緑ラインセンサＧと上記青ラインセンサＢとの間隔との８ライン分（０．３４ｍｍ）との合計（１．３６ｍｍ）である。さらに、カラー読取モードで上記シェーディング補正板１１を読み取る場合、上記第１キャリッジ１８の移動距離Ｌ１３は１６ライン分である。
【００６６】
また、モノクロ読取モードの場合、上記白黒ラインセンサＢＷの走査位置を読取開始位置（シェーディング補正板１１の副走査方向の後端部）として、上記白黒ラインセンサＢＷがシェーディング補正板１１を１６ライン分読み取る。すなわち、モノクロ読取モードの場合、上記白黒ラインセンサＢＷがシェーディング補正板１１を１６ライン分読み取るのに必要な副走査方向の幅は、１６ライン（読取ライン数）分に相当する０．６８ｍｍである。さらに、モノクロ読取モードで上記シェーディング補正板１１を読み取る場合、上記第１キャリッジ１８の移動距離Ｌ２３は１６ライン分である。
【００６７】
上記のように、第３の読取方法によれば、カラー読取モードのシェーディング補正板１１の読取開始位置とモノクロ読取モードのシェーディング補正板１１の読取開始位置とがそれぞれ設定され、上記シェーディング補正板１１の副走査方向の幅は、カラー読取モードの場合に少なくとも各ラインセンサＲ、Ｇ、Ｂのそれぞれの読取幅（１６ライン分）と３つのラインセンサの間隔（８×２ライン分）との合計（３２ライン分）が必要となり、モノクロ読取モードの場合に少なくとも白黒ラインセンサＢＷの読取幅（１６ライン分）が必要となる。
【００６８】
従って、図８に示す第３の読取方法では、シェーディング補正板は副走査方向の幅が３２ラインあれば良いことになる。つまり、図８に示す第３の読取方法によれば、図７に示す第２の読取方法に比べて、シェーディング補正板の副走査方向の幅は同様であるが、上記シェーディング補正板を読み取る際の第１キャリッジの移動幅を小さくすることができる。また、第３の読取方法を行う際の第１キャリッジの移動速度と上記第２の読取方法を行う際の第１キャリッジの移動速度が同じであるとすると、第３の読取方法では、第２の読取方法に比べて、シェーディング補正板を読み取るのに要する時間を短くできため、シェーディング補正の実行時間を短くすることができる。
【００６９】
以下、上記シェーディング補正板１１の第４〜第６の読取方法について説明する。
これらの第４〜第６の読取方法は、各ラインセンサＲ、Ｇ、Ｂ、ＢＷの各走査位置が上記第１キャリッジ１８の移動方向（副走査方向）に対して、ＢＷ、Ｂ、Ｇ、Ｒの順になっている画像読取装置１０に適用できるものである。
【００７０】
まず、上記シェーディング補正板１１の第４の読取方法について説明する。
図９は、上記シェーディング補正板１１の第４の読取方法を説明するための図である。図９に示す例では、各ラインセンサＲ、Ｇ、Ｂ、ＢＷの各走査位置が上記第１キャリッジ１８の移動方向（副走査方向）に対して、ＢＷ、Ｂ、Ｇ、Ｒの順に配置されている。また、図９に示す例では、カラー読取モードの場合、上記制御ユニット３２は３つのラインセンサＲ、Ｇ、Ｂからの各信号を、Ｒ信号、Ｇ信号、Ｂ信号の順に順次取り込むものとする。
【００７１】
図９に示す例では、カラー読取モードの場合、上記赤ラインセンサＲの走査位置を読取開始位置（シェーディング補正板１１の副走査方向の後端部）として、まず、上記赤ラインセンサＲがシェーディング補正板１１を１６ライン分読み取り、次に上記緑ラインセンサＧがシェーディング補正板１１を１６ライン分読み取り、次に上記青ラインセンサＲがシェーディング補正板１１を１６ライン分読み取る。
【００７２】
すなわち、カラー読取モードの場合、シェーディング補正板１１の副走査方向の幅は、上記赤ラインセンサＲが１６ライン分読み取るのに必要な幅（０．６８ｍｍ）と、上記赤ラインセンサＲと上記緑ラインセンサＧとの間隔としての８ライン分（０．３４ｍｍ）と、上記緑ラインセンサＧが１６ライン分読み取るのに必要な幅（０．６８ｍｍ）と、上記緑ラインセンサＧと上記青ラインセンサＢとの間隔としての８ライン分（０．３４ｍｍ）と、上記青ラインセンサＢが１６ライン分読み取るのに必要な幅（０．６８ｍｍ）との合計（２．７２ｍｍ）である。さらに、カラー読取モードで上記シェーディング補正板１１を読み取る場合、上記第１キャリッジ１８の移動距離Ｌ１４は４８ライン（１６×３ライン）分である。
【００７３】
また、モノクロ読取モードの場合、上記白黒ラインセンサＢＷの走査位置を読取開始位置（シェーディング補正板１１の副走査方向の後端部）として、上記白黒ラインセンサＢＷがシェーディング補正板１１を１６ライン分読み取る。すなわち、モノクロ読取モードの場合、上記白黒ラインセンサＢＷがシェーディング補正板１１を１６ライン分読み取るのに必要な副走査方向の幅は、１６ライン（読取ライン数）分に相当する０．６８ｍｍである。さらに、モノクロ読取モードで上記シェーディング補正板１１を読み取る場合、上記第１キャリッジ１８の移動距離Ｌ２４は１６ライン分である。
【００７４】
上記のように、第４の読取方法によれば、上記第１の読取方法と同様に、カラー読取モードのシェーディング補正板１１の読取開始位置とモノクロ読取モードのシェーディング補正板１１の読取開始位置とがそれぞれ設定され、上記シェーディング補正板１１の副走査方向の幅は、カラー読取モードの場合に少なくとも３つのラインセンサＲ、Ｇ、Ｂの読取幅（１６×３ライン分）と３つのラインセンサ間隔（８×２ライン分）との合計の大きさ（６４ライン分）が必要となり、モノクロ読取モードの場合に少なくとも白黒ラインセンサＢＷの読取幅（１６ライン分）が必要となる。
【００７５】
従って、図９に示す第４の読取方法では、シェーディング補正板は副走査方向の幅が６４ラインあれば良いことになる。つまり、第４の読取方法によれば、４つのラインセンサＲ、Ｇ、Ｂ、ＢＷをＲ、Ｇ、Ｂ、ＢＷの順に順次読み取る読取方法に比べて、シェーディング補正板の副走査方向の幅をカラー用のラインセンサ（３つのラインセンサＲ、Ｇ、Ｂ）とモノクロ用のラインセンサ（白黒ラインセンサＢＷ）との間隔（１２ライン）分と白黒ラインセンサＢＷの読取幅１６ライン分との合計分を小さくすることができる。また、シェーディング補正板を読み取る際の第１キャリッジの移動幅も白黒ラインセンサＢＷの読取ための移動分（１６ライン分）少なくできる。これは、カラー用のシェーディング補正板の読取位置（読取開始位置）とモノクロ画像用のシェーディング補正板の読取位置（読取開始位置）とをそれぞれ別の位置に設定したために得られる効果である。
【００７６】
次に、上記シェーディング補正板１１の第５の読取方法について説明する。  図１０は、上記シェーディング補正板１１の第５の読取方法を説明するための図である。図１０に示す例では、各ラインセンサＲ、Ｇ、Ｂ、ＢＷの各走査位置が上記第１キャリッジ１８の移動方向（副走査方向）に対して、ＢＷ、Ｂ、Ｇ、Ｒの順に配置されているものとする。また、図１０に示す例では、カラー読取モードの場合、上記制御ユニット３２は３つのラインセンサＲ、Ｇ、Ｂからの各信号を、Ｂ信号、Ｇ信号、Ｒ信号の順に順次取り込むものとする。
【００７７】
図１０に示す例では、カラー読取モードの場合、上記青ラインセンサＢの走査位置を読取開始位置（シェーディング補正板１１の副走査方向の後端部）として、まず、上記青ラインセンサＢがシェーディング補正板１１を１６ライン分読み取り、次に上記緑ラインセンサＧがシェーディング補正板１１を１６ライン分読み取り、次に上記赤ラインセンサＲがシェーディング補正板１１を１６ライン分読み取る。
【００７８】
すなわち、カラー読取モードの場合、シェーディング補正板１１の副走査方向の幅は、上記青ラインセンサＢが１６ライン分読み取るのに必要な幅（０．６８ｍｍ）から上記青ラインセンサＢと上記緑ラインセンサＧとの間隔としての８ライン分（０．３４ｍｍ）を引いた幅（０．３８ｍｍ）と、上記緑ラインセンサＧが１６ライン分読み取るのに必要な幅（０．６８ｍｍ）から上記緑ラインセンサＧと上記赤ラインセンサＲとの間隔としての８ライン分（０．３４ｍｍ）を引いた幅（０．３８ｍｍ）と、上記赤ラインセンサＲが１６ライン分読み取るのに必要な幅（０．６８ｍｍ）との合計（１．３６ｍｍ）である。さらに、カラー読取モードで上記シェーディング補正板１１を読み取る場合、上記第１キャリッジ１８の移動距離Ｌ１５は、第４の読取方法の移動距離Ｌ１４と同様で、４８ライン（１６×３ライン）分である。
【００７９】
また、モノクロ読取モードの場合、上記白黒ラインセンサＢＷの走査位置を読取開始位置（シェーディング補正板１１の副走査方向の後端部）として、上記白黒ラインセンサＢＷがシェーディング補正板１１を１６ライン分読み取る。すなわち、モノクロ読取モードの場合、上記白黒ラインセンサＢＷがシェーディング補正板１１を１６ライン分読み取るのに必要な副走査方向の幅は、１６ライン（読取ライン数）分に相当する０．６８ｍｍである。さらに、モノクロ読取モードで上記シェーディング補正板１１を読み取る場合、上記第１キャリッジ１８の移動距離Ｌ２５は、上記第４の読取方法の移動距離Ｌ２４と同様で、１６ライン分である。
【００８０】
上記のように、第５の読取方法によれば、カラー読取モードのシェーディング補正板１１の読取開始位置とモノクロ読取モードのシェーディング補正板１１の読取開始位置とがそれぞれ設定され、上記シェーディング補正板１１の副走査方向の幅は、カラー読取モードの場合に少なくとも３つのラインセンサＲ、Ｇ、Ｂの読取幅（１６×３ライン分）から３つのラインセンサの間隔（８×２ライン分）を引いた大きさ（３２ライン分）が必要となり、モノクロ読取モードの場合に少なくとも白黒ラインセンサＢＷの読取幅（１６ライン分）が必要となる。
【００８１】
従って、図１０に示す第５の読取方法では、シェーディング補正板は副走査方向の幅が３２ラインあれば良いことになる。つまり、図１０に示す第５の読取方法によれば、図９に示す第４の読取方法に比べて、シェーディング補正板を読み取る際の第１キャリッジの移動幅は同じであるが、シェーディング補正板の副走査方向の幅を３つのラインセンサの間隔の２倍分小さくすることができる。
【００８２】
次に、上記シェーディング補正板１１の第６の読取方法について説明する。  図１１は、上記シェーディング補正板１１の第６の読取方法を説明するための図である。図１１に示す例では、各ラインセンサＲ、Ｇ、Ｂ、ＢＷの各走査位置が上記第１キャリッジ１８の移動方向（副走査方向）に対して、ＢＷ、Ｂ、Ｇ、Ｒの順に配置されているものとする。また、図１１に示す例では、カラー読取モードの場合、上記制御ユニット３２は３つのラインセンサＲ、Ｇ、Ｂからの各信号（Ｒ信号、Ｇ信号、Ｂ信号）を同時に取り込むものとする。
【００８３】
図１１に示す例では、カラー読取モードの場合、上記赤ラインセンサＲの走査位置を読取開始位置（シェーディング補正板１１の副走査方向の後端部）として、上記赤ラインセンサＲ、上記緑ラインセンサＧ、及び上記青ラインセンサＢがシェーディング補正板１１を同時に１６ライン分読み取る。
【００８４】
すなわち、カラー読取モードの場合、シェーディング補正板１１の副走査方向の幅は、上記赤ラインセンサＲ、上記緑ラインセンサＧ及び上記青ラインセンサＢがそれぞれ１６ライン分読み取るのに必要な幅（０．６８ｍｍ）と上記赤ラインセンサＲと上記緑ラインセンサＧとの間隔との８ライン分（０．３４ｍｍ）と上記緑ラインセンサＧと上記青ラインセンサＢとの間隔との８ライン分（０．３４ｍｍ）との合計（１．３６ｍｍ）である。さらに、カラー読取モードで上記シェーディング補正板１１を読み取る場合、上記第１キャリッジ１８の移動距離Ｌ１６は１６ライン分である。
【００８５】
また、モノクロ読取モードの場合、上記白黒ラインセンサＢＷの走査位置を読取開始位置（シェーディング補正板１１の副走査方向の後端部）として、上記白黒ラインセンサＢＷがシェーディング補正板１１を１６ライン分読み取る。すなわち、モノクロ読取モードの場合、上記白黒ラインセンサＢＷがシェーディング補正板１１を１６ライン分読み取るのに必要な副走査方向の幅は、１６ライン（読取ライン数）分に相当する０．６８ｍｍである。さらに、モノクロ読取モードで上記シェーディング補正板１１を読み取る場合、上記第１キャリッジ１８の移動距離Ｌ２６は１６ライン分である。
【００８６】
上記のように、第６の読取方法によれば、カラー読取モードのシェーディング補正板１１の読取開始位置とモノクロ読取モードのシェーディング補正板１１の読取開始位置とがそれぞれ設定され、上記シェーディング補正板１１の副走査方向の幅は、カラー読取モードの場合に少なくとも各ラインセンサＲ、Ｇ、Ｂのそれぞれの読取幅（１６ライン分）と３つのラインセンサの間隔（８×２ライン分）との合計（３２ライン分）が必要となり、モノクロ読取モードの場合に少なくとも白黒ラインセンサＢＷの読取幅（１６ライン分）が必要となる。
【００８７】
従って、図１１に示す第６の読取方法では、シェーディング補正板は副走査方向の幅が３２ラインあれば良いことになる。つまり、図１１に示す第６の読取方法によれば、図１０に示す第５の読取方法に比べて、シェーディング補正板の副走査方向の幅は同様であるが、上記シェーディング補正板を読み取る際の第１キャリッジの移動幅を小さくすることができる。また、第６の読取方法を行う際の第１キャリッジの移動速度と上記第５の読取方法を行う際の第１キャリッジの移動速度が同じであるとすると、第６の読取方法では、第５の読取方法に比べて、シェーディング補正板を読み取るのに要する時間を短くできため、シェーディング補正の実行時間を短くすることができる。
【００８８】
次に、上記第１〜第６の読取方法の相違点と適用例について説明する。
上記した第１〜第６の読取方法は、各ラインセンサの走査位置の副走査方向における配置、各ラインセンサからの信号の取り込み順序、各ラインセンサからの信号の取り込み方式など画像読取装置の仕様等に基づい適宜選択される。これにより、種々の画像読取装置に応じた最適なシェーディング補正板の設計及びシェーディング補正の動作を行うことができる。
【００８９】
上記第１〜第３の読取方法は、例えば、以下のような画像読取装置に対して適用される。
【００９０】
すなわち、上記４ラインＣＣＤセンサ１における各ラインセンサＲ、Ｇ、Ｂ、ＢＷの走査位置の副走査方向における配置がＲ、Ｇ、Ｂ、ＢＷの順で、カラー用の各ラインセンサＲ、Ｇ、Ｂがシェーディング補正板１１をＢ、Ｇ、Ｒの順に順次読み取るようになっている場合、上記第１の読取方法が適用できる。
【００９１】
また、上記４ラインＣＣＤセンサ１における各ラインセンサＲ、Ｇ、Ｂ、ＢＷの走査位置の副走査方向における配置がＲ、Ｇ、Ｂ、ＢＷの順で、カラー用の各ラインセンサＲ、Ｇ、Ｂがシェーディング補正板１１をＲ、Ｇ、Ｂの順に順次読み取るようになっている場合、上記第２の読取方法が適用できる。
【００９２】
特に、上記４ラインＣＣＤセンサ１における各ラインセンサＲ、Ｇ、Ｂ、ＢＷの走査位置の副走査方向における配置がＲ、Ｇ、Ｂ、ＢＷの順で、カラー用の各ラインセンサＲ、Ｇ、Ｂの順次読取の順序が選択できる場合、第１あるいは第２の読取方法が適用可能であるが、第１の読取方法よりも第２の読取方法の方がシェーディング補正板１１を狭くできるため、上記第２の読取方法を適用するのが好ましい。
【００９３】
また、上記４ラインＣＣＤセンサ１における各ラインセンサＲ、Ｇ、Ｂ、ＢＷの走査位置の副走査方向における配置がＲ、Ｇ、Ｂ、ＢＷの順で、カラー用の各ラインセンサＲ、Ｇ、Ｂがシェーディング補正板１１を同時に読み取るようになっている場合、上記第３の読取方法が適用可能である。
【００９４】
また、上記第４〜第６の読取方法は、例えば、以下のような画像読取装置に対して適用される。
上記４ラインＣＣＤセンサ１における各ラインセンサＲ、Ｇ、Ｂ、ＢＷの走査位置の副走査方向における配置がＢＷ、Ｂ、Ｇ、Ｒの順で、カラー用のラインセンサＲ、Ｇ、Ｂがシェーディング補正板１１をＲ、Ｇ、Ｂの順に順次読み取るようになっている場合、上記第４の読取方法が適用できる。
【００９５】
また、上記４ラインＣＣＤセンサ１における各ラインセンサＲ、Ｇ、Ｂ、ＢＷの走査位置の副走査方向における配置がＢＷ、Ｂ、Ｇ、Ｒの順で、カラー用のラインセンサＲ、Ｇ、Ｂがシェーディング補正板１１をＢ、Ｇ、Ｒの順に順次読み取るようになっている場合、上記第５の読取方法が適用できる。
【００９６】
特に、上記４ラインＣＣＤセンサ１における各ラインセンサＲ、Ｇ、Ｂ、ＢＷの走査位置の副走査方向における配置がＢＷ、Ｂ、Ｇ、Ｒの順で、カラー用の各ラインセンサＲ、Ｇ、Ｂの順次読取の順序が選択できる場合、第４あるいは第５の読取方法が適用可能であるが、第４の読取方法よりも第５の読取方法の方がシェーディング補正板１１を狭くできるため、上記第５の読取方法を適用するのが好ましい。
【００９７】
また、上記４ラインＣＣＤセンサ１における各ラインセンサＲ、Ｇ、Ｂ、ＢＷの走査位置の副走査方向における配置がＢＷ、Ｂ、Ｇ、Ｒの順で、カラー用の各ラインセンサＲ、Ｇ、Ｂがシェーディング補正板１１を同時に読み取るようになっている場合、上記第６の読取方法が適用可能である。
【００９８】
上記のように、本実施の形態では、上記第１〜第６の読取方法として説明したように、カラー用のラインセンサと上記カラー用のラインセンサとは別のモノクロ用のラインセンサとが配置されたラインセンサを有する画像読取装置において、原稿の読取モードとしてカラー読取モードが選択された場合のシェーディング補正板の読取位置と、原稿の読取モードとしてモノクロ読取モードが選択された場合のシェーディング補正板の読取位置をそれぞれ設定するものである。これにより、シェ−ディング補正板の副走査方向の幅を狭くすることができる。
【００９９】
また、キャリッジの駆動制御の観点では、カラー読取モードの場合もモノクロ読取モードの場合も同じ位置でシェーディング補正板の読取を開始するように制御すると、シェーディング補正板を読み取る際の駆動距離が長くなる。これに対して、カラー読取モードの場合の読取開始位置とモノクロ読取モードの場合の読取開始位置とをそれぞれが最適な位置に設定することにより、シェーディング補正板を読み取る際の移動距離を短くでき、効率的にシェーディング補正板の読取を行うことができる。
【０１００】
【発明の効果】
以上詳述したように、この発明によれば、カラー用のラインセンサとモノクロ用のラインセンサとを有するラインセンサを用いて画像を読み取るものであっても、基準板の幅を小さくでき、シェーディング補正の効率的化、画像読取装置の小型化、安型化を図ることができる画像読取装置と画像読取方法を提供できる。
【図面の簡単な説明】
【図１】この発明の実施の形態に係る画像読取装置に搭載される４ラインＣＣＤセンサの構成を示す図。
【図２】この発明の実施の形態に係る画像読取装置の概略構成を示す図。
【図３】画像読取装置の制御系統の構成例を示すブロック図。
【図４】画像読取装置全体の動作を概略的に説明するためのフローチャート。
【図５】４つのラインセンサが順に順次シェーディング補正板を読み取る場合の動作を説明するための図。
【図６】第１の読取方法によるシェーディング補正板の読取動作を説明するための図。
【図７】第２の読取方法によるシェーディング補正板の読取動作を説明するための図。
【図８】第３の読取方法によるシェーディング補正板の読取動作を説明するための図。
【図９】第４の読取方法によるシェーディング補正板の読取動作を説明するための図。
【図１０】第５の読取方法によるシェーディング補正板の読取動作を説明するための図。
【図１１】第６の読取方法によるシェーディング補正板の読取動作を説明するための図。
【符号の説明】
１…４ラインＣＣＤセンサ、Ｒ…赤ラインセンサ、Ｇ…緑ラインセンサ、Ｂ…青ラインセンサ、ＢＷ…白黒ラインセンサ、１０…画像読取装置、１１…シェーディング補正板、１２…原稿載置台、１８…第１のキャリッジ、２０…第２のキャリッジ、３０…駆動モータ、３２…制御ユニット、４０…ＣＰＵ、４３…信号処理部、４４…駆動制御部
【図１】
2004266675.tif 000003
【図２】
2004266675.tif 000004
【図３】
2004266675.tif 000005
【図４】
2004266675.tif 000006
【図５】
2004266675.tif 000007
【図６】
2004266675.tif 000008
【図７】
2004266675.tif 000009
【図８】
2004266675.tif 000010
【図９】
2004266675.tif 000011
【図１０】
2004266675.tif 000012
【図１１】
2004266675.tif 000013